(57)【要約】【課題】  多数の被災者に対応する大容量の便槽を持ち、堅牢で大地震はもとより、余震などの揺れにも頗る強靭さを発揮し、作業が容易な組立式トイレを提供すること。【解決手段】  地面を掘削しコンクリートで固めた便槽１の上面に敷着した床材３と、便槽１に引き上げ可能に跨設した門形材７の間に、吊り上げられる屋根材９と横置きした支柱、サイドパネル、中仕切りパネルを介装し、且つ便槽１内に便器類を収納する。【選択図】          図４
0003119679.tif 000002
【実用新案登録請求の範囲】
【請求項１】
地面を掘削しコンクリートで固めた便槽の上面に敷着した床材と、便槽に引き上げ可能に跨設した門形材の間に、吊り上げられる屋根材と横置きした支柱、サイドパネル、中仕切りパネルを介装し、且つ便槽内に便器類を収納した災害時用組立式トイレ。
【請求項２】
門形材は便槽に埋設した固定パイプに挿入され且つ人力によって引き上げられるとともに、屋根材がウインチによりワイヤーで吊り上げられることを特徴とする請求項１に記載の災害時用組立式トイレ。
【請求項３】
床材と、吊り上げ後の屋根材間に支柱が立設されてサイドパネルが組み付けされ、サイドパネルに中仕切りパネルを固定して便室が形成され、下ろした屋根材によって支柱及びサイドパネルが固定されることを特徴とする請求項１又は２に記載の災害時用組立式トイレ。
【請求項４】
片側端のサイドパネルと中仕切りパイプの間に、車椅子が入れる広いスペースを有する障害者用便室を設け、サイドパネル外側に、障害者用便室に通ずるスロープを形成することを特徴とする請求項３に記載に災害時用組立式トイレ。
【考案の詳細な説明】
【技術分野】
【０００１】  本考案は、大地震・大火災・台風などの災害時に、多人数の被災者が利用できる災害時用組立式トイレに関する。
【背景技術】
【０００２】  大地震などの被害甚大な地域においては食生活の不便だけでなく排泄物の処理問題が深刻となる。被害の大小によってトイレの規模も異なるが、数百人から数千人以上に及ぶような被災地では現状復帰までにかなりの日数を要するため相当量の排泄処理が必要で、そのための組立式トイレも種々提案されている（例えば特許文献１参照）。
【特許文献１】特開２００４−２５１０９８号公報
【考案の開示】
【考案が解決しようとする課題】
【０００３】  特許文献１に示されたトイレは、大量の糞尿が収納可能な便槽をあらかじめ地中に形成し、トイレを構成する天井、側壁、床などの組み立て部材であるパネルを便槽上面に折り畳んでおき、災害時にはそれらの部材を組み立ててトイレ家屋を完成させるというものである。この技術によると、トイレ家屋を立ち上げるための側壁パネルは左右壁をくの字状に折り畳んでおき、組立時にくの字のものが直立状になる仕組みであり、側壁パネルと天井パネル、及び側壁パネルと床パネルの間には蝶番を介装して夫々を連繋している。くの字状の側壁パネルは、いわば中折れ状態より伸長するものであるから強度面での問題があり、また側壁パネルとの間に蝶番を介在させた天井パネル、床パネルなども余震などの強い衝撃を受けると蝶番の飛ぶ恐れがあって耐久性に欠けるといった不具合がある。また従来品は、健常者の使用を前提にしており、車椅子利用の障害者等への配慮に欠ける憾みがあった。【０００４】  本考案はこのような問題点に鑑みてなされたもので、屋根部分を吊り上げ、側壁を組み立てて構成するが、側壁パネルをくの字状に形成するといった手法を採らず、堅牢で衝撃に強く、大地震は勿論それに伴う余震の発生に対しても十分な強度性を発揮し、しかも便槽をして大容量の空間部とすることができ、障害者等の利用にも適するとともに、現場での組み立てが容易で量産に好適する災害時用の組立式トイレを提供することを意図している。
【課題を解決するための手段】
【０００５】  すなわち本考案は、地面を掘削しコンクリートで固めた便槽１の上面に敷着した床材３と、便槽１に引き上げ可能に跨設した門形材７の間に、吊り上げられる屋根材９と横置きした支柱１０、サイドパネル１１、中仕切りパネル１２を介装し、且つ便槽１内に便器類を収納した組立式トイレを主旨とする。【０００６】  門形材７は便槽１に埋設した固定パイプ６に挿入され且つ人力によって引き上げられるとともに、屋根材９がウインチ１５によりワイヤー１４で吊り上げられることを特徴とする。【０００７】  床材３と、吊り上げ後の屋根材９の間に支柱が立設されてサイドパネル１１が組み付けされ、サイドパネル１１に中仕切りパネル１２を固定して便室２１が形成され、下ろした屋根材９によって支柱１０及びサイドパネル１１が固定されることを特徴とする。【０００８】  片側端のサイドパネル１１と中仕切りパネル１２の間に、車椅子が入れる広いスペースを有する障害者用便室２０を設け、サイドパネル１１外側に、障害者用便室２０に通ずるスロープ４０を形成したことを特徴とする。
【考案の効果】
【０００９】  本案組立式トイレは、便槽の上面に床材を敷着し、その上面に支柱、サイドパネル、中仕切りパネルを横置きして備え、且つ最上面に屋根材を配置して必要構成部材を１か所にまとめてあるので、非常時における組み立て作業がその場で迅速にできる。【００１０】  門形材を引き上げるとワイヤーにより屋根材を所定高さまで吊り上げることができ、それに伴って寝かせておいた支柱等を直立させて順次組み立てられるので、従来品のようにサイドパネルをくの字状に構成したり主要部材相互を蝶番で連繋する必要もなく、したがって十分な強度を持ち、大地震及びその余震などの発生に対しても堅牢性を発揮し、長期にわたり支障を生ぜず安心して使用できる。【００１１】  埋込状態の門形材が押さえとなるので、屋根材及び屋根材下面に位置するサイドパネル、中仕切りパネル等も不動状態を維持して位置づれすることがない。【００１２】  門形材の引き出しは、固定パイプに沿って上昇させるだけであるから人力で容易になされ、また屋根材もウインチ操作により門形材に取り付けたワイヤーで吊り上げられるため熟練を要することなくトイレの組み立てができる。【００１３】  屋根材の吊り上げが容易にできて支柱、サイドパネル、中仕切りパネルの組み立ても順次手際よく行うことができるため便室組み立てに時間がかゝらず、緊急用として頗る適切に作業ができる。【００１４】  障害者用便室を設けているので車椅子利用者でも安心して使用でき、また外部から入りやすいようにサイドパネル外側に沿いスロープを形成したことで安全が確保される。
【考案を実施するための最良の形態】
【００１５】  図面に基づき本考案を説明すると、図１〜図５において、公園・学校などの災害時に避難場所となる地面を掘削して大容量の排泄物を収納可能としたコンクリート製の便槽１は普段は大小の便器３０・３１などを備えて非常時にいつでも取り出せるようにする。便槽１は最大で横の長さ６メートル２０センチ強、奥行き１メートル８０センチ強、深さが１メートル４０センチほどに形成され、１万６千リットル強の容量を有し、１か月間使用したとすると、使用可能総人数が１万人以上となる。便槽１のコンクリートは地面よりも１５センチ程高く形成し、周縁の内側に段凹部２を形成し、この段凹部２内に鉄製の床材３下面のやゝ内側に突設したフレーム４を係合して固定する。こうすることにより床材３は便槽１に不動状となる。【００１６】  便槽１には縁部の４か所に挿孔５をあけ、該挿孔５内に固定パイプ６を埋設するとともに固定パイプ６に、門形材７の両側鉛直部を挿入して便槽１の幅方向２か所に跨設する。門形材７は、組み立て時に人力で容易に引き上げることができ、便槽１から最大で２メートル余の高さとすることができ、上昇極限位置で固定パイプ６外側より差し込んだ止めねじ８で緊締すれば固定される。【００１７】  便槽１の上面に敷着した前記床材３は幅方向が前記門形材７の内側に位置する大きさであり、長さが便槽１の上面を十分に覆う寸法を有している。そして床材３と門形材７の間に、屋根材９と横置きした支柱１０、サイドパネル１１、中仕切りパネル１２、ドア材１３などのトイレ構成部材を収納し、屋根材９の上面には門形材７が密着し、また屋根材９によってその下部に位置するサイドパネル１１等が不動的に押さえられる。しかして屋根材９上面と便槽１上面の間は３０センチ程であり、この部分に殆どのトイレ構成部材が納まることになる。【００１８】  屋根材９はポリプロピレン製で、裏側に補強のためのフレーム９’を固着している。このフレーム９’はアルミなどの金属からなり、立ち上げた支柱１０、サイドパネル１１などの上面に密接する。屋根材９上面にはワイヤー１４が固定され、ワイヤー１４は前記門形材７に取り付けられて門形材７の一方の鉛直部に沿って垂下され、下部に設けたウインチ１５に連なっている。したがって門形材７を引き上げ固定した後でウインチ１５を操作するとワイヤー１４が巻き上げられ、同時に屋根材９がワイヤー１４によって吊り上げられる。【００１９】  支柱１０はアルミ又はステンレス製で中空角形部材からなり、後記するサイドパネル１１に対応して要所要所にトイレの長手方向に沿って列設される。支柱１０は屋根材９と床材３に確固固定される必要がありそのために屋根材９と床材３には取付具が夫々設けてあり、また該取付具と対応するように支柱の上下端にも固定具が設けてある。すなわち図６に示すように、屋根材９の取付具９ａは支柱１０の位置決めを兼ねるもので、ロッド状でフレーム９’より垂設してあり、この取付具９ａに対応して支柱１０上端に円形孔Ｈを持つ固定具１０ａが埋設固定されている。また床材３の取付具３ａは、上面より突出したアンカー状のもので、支柱１０下端には９０度回動すると該取付具３ａと齟齬状となって脱出ができなくなる長孔ｈを形成した固定具１��ｂが埋設固定されている。このような構成をとることによって支柱１０は、まず床材３上に立上がり、次いで吊り上げられた屋根材９に仮の状態で組み立てられる（図７参照）。【００２０】  図８・図９に示すように、アルミ製のサイドパネル１１は、片側端（図では左側）に位置し直角壁１１ａを構成して障害者用便室２０を構成する部分、及び他側端（図では右側）に位置して外側に小便器３１を設置する部分に幅広部材を用い他はドア材１３と一体的に構成され、支柱１０の角部に組み付けされる。障害者用便室２０は、車椅子でも入れるようにゆったりとしたスペースを有し、この部分の床材３の一部をあらかじめくり抜き形成しておき、便槽１内に収納してある便器類の非常時取出口となるが、トイレ組立時には当然ながら蓋体１６によって閉塞される。また障害者用便室２０は、ドア材１３を屈曲式として開閉時の出入りをスムースにするため広い出入口とし、便器３０の両側には当然ながらひじ掛け用パイプ３２が取り付けられている。【００２１】  またサイドパネル１１に対し端部を差し込み固定して便室２１を形成するための中仕切りパネル１２は十字形に設置され、トイレの長手方向と短手方向とが交差する端部が凹凸に形成され卍状の結合部となる。したがってサイドパネル１１と中仕切りパネル１２の組み付けは余分な工具を使わずに手作業て手早く完成させることができる。【００２２】  かくして最後に屋根材９を下ろして支柱１０とサイドパネル１１の上面に屋根材フレーム９’を密着させ、支柱１０に取り付けたエビカン１７をフレーム９’に緊締すれば屋根材９と支柱１０及びサイドパネル１１相互が確固として固定される（図１０参照）。【００２３】  本案において大便器３０は洋式・和式いずれを設置してもよく、最大図示のように８台が取り付けでき、そのために長手方向の両側に各４台設置するための便室２１が合計８室形成される。また車椅子が便室２０まで容易にたどり着けるように、左側端に位置するサイドパネル１１  の外壁に沿いスロープ４０を形成して地面との段差をなくすような工夫が施され（図１１）、完成したトイレは図１２のように側面がドア材１３で密閉され（実際には上下個所に空気口を設ける）、頗る体裁のよいものとなる。【００２４】  なお便槽１には、非常時用の備蓄倉庫としての役割を持たせることができ、便器類の他に食料、医薬品、照明器具、テントなどの備品の収納が可能となること勿論である。【００２５】  本考案は以上の構成であるが、構成部材の個々の形状、材質、大きさなど本考案の目的効果を奏する範囲における変更も本考案の自由な実施の範疇に属する。
【図面の簡単な説明】
【００２６】
【図１】本考案の概略説明図である。
【図２】便槽の平面図である。
【図３】門形材が下降位置にある説明図である。
【図４】屋根材を引き上げる状態の説明図である。
【図５】屋根材を下側から見た概略斜視図である。
【図６】支柱の取り付け過程を示す説明図である。
【図７】床材と屋根材の間に支柱を立ち上げた説明図である。
【図８】サイドパネルと中仕切りパネルの組み合わせ図である。
【図９】全体を俯瞰した概略を示す説明図である。
【図１０】屋根材と支柱及びサイドパネルの固定状態の説明図である。
【図１１】障害者用便室の外側部分を示す概略図である。
【図１２】完成したトイレの外観図である。
【符号の説明】
【００２７】１    便槽
３    床材
４    挿孔
６    固定パイプ
７    門形材
９    屋根材
１０  支柱
１１  サイドパネル
１２  中仕切りパネル
１３  ドア材
１４  ワイヤー
１５  ウインチ
２０  障害者用便室
２１  便室
４０  スロープ
【図１】
0003119679.tif 000003
【図２】
0003119679.tif 000004
【図３】
0003119679.tif 000005
【図４】
0003119679.tif 000006
【図５】
0003119679.tif 000007
【図６】
0003119679.tif 000008
【図７】
0003119679.tif 000009
【図８】
0003119679.tif 000010
【図９】
0003119679.tif 000011
【図１０】
0003119679.tif 000012
【図１１】
0003119679.tif 000013
【図１２】
0003119679.tif 000014